(57)【要約】  基準及び試料セル、及び制御熱シールドを備えている、示差走査熱量計装置。シールドの温度は、炉から周囲の環境に熱流を排除する（準断熱状態）ことによって、そして、炉と温度制御されたヒートシンク間の、明確な固体状態である熱抵抗を通して、熱流を制御することによって、ベースラインの湾曲を少なくするよう制御される。各々のシールドの温度は、走査の全温度範囲で熱流量の差を減少させるために、個別に制御可能であり、また、一般的な入力補償型ＤＳＣの運用のため、一定温度を維持することも可能である。各々のシールドの温度／時間の様相は、実際の炉温度に従って、空運転することで、又は、試料測定のためコンピュータ・メモリに記憶されたものを呼び出すことで、制御可能である。
2008530560.tif 000002
【特許請求の範囲】
【請求項１】
示差走査熱量計であって、
少なくとも１つのセルと、
前記セルに隣接して位置決めされた少なくとも１つの熱シールドと、
前記セル及び前記熱シールドを加熱することができる少なくとも１つの加熱システムと、
前記セルと基準との間の温度差を監視する温度監視装置と、
を備える示差走査熱量計。
【請求項２】
前記熱シールドが前記セルの周囲に位置決めされたシリンダーである、請求項１に記載の示差走査熱量計。
【請求項３】
前記熱シールドが、上端、下端、及び側壁を備えている、請求項１に記載の示差走査熱量計。
【請求項４】
誘電性の層が前記側壁上に配置された、請求項３に記載の示差走査熱量計。
【請求項５】
前記側壁が更に外周及び該外周に沿って延在する溝を備えている、請求項３に記載の示差走査熱量計。
【請求項６】
前記熱シールドが更に側壁上に配置された熱電対を備えている、請求項３に記載の示差走査熱量計。
【請求項７】
前記熱電対が熱抵抗ワイヤ及び抵抗ワイヤを備えている、請求項６に記載の示差走査熱量計。
【請求項８】
前記熱抵抗ワイヤはプラチナである、請求項７に記載の示差走査熱量計。
【請求項９】
前記熱シールドが更に側壁上に配置された温度センサーを備えている、請求項３に記載の示差走査熱量計。
【請求項１０】
前記熱シールドが前記シールドを加熱するために、更に側壁上に配置された抵抗ワイヤを備えている、請求項３に記載の示差走査熱量計。
【請求項１１】
前記熱シールドが高熱伝導材料で作られている、請求項１に記載の示差走査熱量計。
【請求項１２】
前記高熱伝導材料は、アルミニウム、銅、セラミック、及び銀の少なくとも１つを含む、請求項１１に記載の示差走査熱量計。
【請求項１３】
前記熱シールドは準断熱と特徴付けられている、請求項１に記載の示差走査熱量計。
【請求項１４】
前記側壁が約０．２５ｍｍから１０ｍｍの厚さである、請求項３に記載の示差走査熱量計。
【請求項１５】
前記側壁が０．５ｍｍの厚さである、請求項３に記載の示差走査熱量計。
【請求項１６】
前記熱シールドに配置された少なくとも１つの第１のカバーを更に備えている、請求項３に記載の示差走査熱量計。
【請求項１７】
前記熱シールドの周囲に位置決めされたブロックを更に備えている、請求項３に記載の示差走査熱量計。
【請求項１８】
前記ブロック上に配置された第２のカバーを更に備えている、請求項１７に記載の示差走査熱量計。
【請求項１９】
前記セルと前記熱シールドとの間に隙間を更に有している、請求項１に記載の示差走査熱量計。
【請求項２０】
前記基準がデータである、請求項１に記載の示差走査熱量計。
【請求項２１】
前記基準が試料である、請求項１に記載の示差走査熱量計。
【請求項２２】
示差走査熱量計であって、
試料セルと、
基準セルと、
前記試料セルに隣接して位置決めされた第１の熱シールドと、
前記基準セルに隣接して位置決めされた第２の熱シールドと、
前記試料セル、前記基準セル、前記第１の熱シールド、及び前記第２の熱シールドを加熱することができる少なくとも１つの加熱システムと、
前記試料と前記基準セルとの間の温度差を監視する温度監視装置と、
を備える示差走査熱量計。
【請求項２３】
請求項２２記載の示差走査熱量計であって、前記少なくとも１つの加熱システムが、
前記試料セルに接続された第１の加熱装置、
前記基準セルに接続された第２の加熱装置、
前記第１の熱シールドに接続された第３の加熱装置、
前記第２の熱シールドに接続された第４の加熱装置、及び、
前記第１、第２、第３、第４の加熱装置のうち少なくとも１つの加熱装置の温度を変化させることが可能な制御システム、
のうち少なくとも１つを備えている、示差走査熱量計。
【請求項２４】
前記第１の熱シールドが前記試料セルの周囲に位置決めされたシリンダーであって、前記第２の熱シールドが前記基準セルの周囲に位置決めされたシリンダーである、請求項２２に記載の示差走査熱量計。
【請求項２５】
試料セル及び基準セルと、前記試料セルに隣接して位置決めされた少なくとも１つの熱シールドと、前記試料セル及び前記熱シールドを加熱することができる加熱システムと、前記試料セルと前記基準セルとの間の温度差を監視する温度監視装置と、を備えている示差走査熱量計を供給するステップと、
示差走査熱量計から信号を得るステップと、
前記信号に基づいた変数を使って、前記試料セルと前記基準セルとの間の温度差を計算するステップと、
を具備している方法。
【請求項２６】
前記熱シールドが前記試料セルの周囲に位置決めされたシリンダーである、請求項２５に記載の方法。
【発明の詳細な説明】
【技術分野】
【０００１】
［関連出願］
本出願は、２００５年２月１０日に出願された、米国出願１１／０５４，７５５号の優先権を主張するものである。
【０００２】
本発明は、熱量分析機器、より具体的には、示差走査熱量計のための温度制御シールドに関する。
【背景技術】
【０００３】
示差走査熱量計（ＤＳＣ：differential scanning calorimeter）は、試料（sample）及び基準物質（reference substance）を装置中に置き、両方の温度を一定の速度で変化させた際に、試料によって発生若しくは吸収される熱流量（heat flow）の差を、基準物質と比較して検出及び分析する装置である。
【０００４】
試料物質は、溶解、結晶化、凝固、参加、などといった様々な物性変化を重ね、その温度は内部エネルギーの変化に影響を受ける。試料及び基準の間の温度差は記録され、このデータにより、試料の中で発生した内部エネルギーの変化を求めるための計算が実行される。このような情報は、調合薬、樹脂、フィルム、などの材料を評価する際に利用される。
【０００５】
ＤＳＣの１タイプは入力補償型ＤＳＣである。それは一般的に、試料及び基準のための２つの独立した熱量計の組み合わせによる構造である。両方の温度センサーで検出される温度の平均値が、温度を一定の速度で変化させるようなプログラムの温度出力と比較される。二つの熱量計は、補償ヒーターの熱流によって両方の温度の値が一致するように、加熱される。また、もし温度差が両方の温度センサーの出力によるものであった場合、両方のヒーターは、温度差がゼロに戻されるように、直ちに入力を減少又は増加させる。その後、両方のヒーターに供給される入力の差が、熱流量信号の差として連続的に記録される。
【０００６】
低ドリフト及び特定の反応特性を有するＤＳＣに関する特許文献１（参照することにより本書に組み込まれる）のような、様々な入力補償型示差走査熱量計が技術的に知られている。試料温度は炉温制御器による温度プログラムに従って制御され、同時に温度検知制御器によって制御される。また、もし温度差が発生した場合、示差熱補償回路によって温度差が略ゼロに戻されるように試料及び基準が調整されるよう、ヒーターへの供給入力が独立して供給され、熱流量差として供給入力の差が出力される。
【０００７】
特許文献２（参照することにより本書に組み込まれる）は、試料と熱交換関係にある外部媒体の温度変動によって求められるプログラムに従って、試料物質の温度を変化させることで、分析を実行する手段に関する。試料及びプログラムの間の温度の差が計測され、温度差をゼロに維持するために加えられる熱が変化される。温度差をゼロに維持するために必要とされた入力が計測される。
【特許文献１】米国特許第６，５３０，６８６号明細書
【特許文献２】米国特許第３，２６３，４８４号明細書
【発明の開示】
【発明が解決しようとする課題】
【０００８】
入力補償型示差走査熱量計は、反応が良く、熱補正の時定数の短縮化が実現できる。しかしながら、ベースライン性能に関しては、取得安定度に問題がある。その主な理由は入力補償型センサーが、計測中に周囲の部材に対して大きな温度差を持ち、その結果、センサーから外部へ比較的大量の熱漏れが発生し、ベースラインのドリフト要因になることである。加えて、運用の難しさや、冷却中にセルに着霜することで、工程間に遅延時間がある。
【課題を解決するための手段】
【０００９】
本手法およびシステムは、少なくとも１つのセルと、少なくとも１つのセルに隣接して位置決めされた熱シールドと、セルおよび熱シールドを加熱する能力のある加熱システムと、セルと基準との間の温度差を監視する温度監視装置と、を備えている示差走査熱量計を提供する。１つの実施例においては、熱シールドはセルの周囲に位置決めされているシリンダーである。熱シールドは上端、下端、及び誘電性の層を配置可能な側壁を備えることができる。側壁は更に外周、及び外周に沿って延ばされた溝を備えている。ある実施形態においては、熱シールドには更に側壁上に熱電対が配置されており、熱電対は熱抵抗ワイヤ及び抵抗ワイヤを備えることが可能である。選択肢として、プラチナの熱抵抗ワイヤがある。熱シールドは更には、側壁上に配置された温度センサーを備えることができる。いくつかの実施形態においては、熱シールドは更に、シールドを加熱するために側壁上に設置された抵抗ワイヤを備えている。熱シールドは、１またはそれ以上のアルミニウム、銅、セラミック、又は銀を選択的に含むことができる、高熱伝導材料で作ることができる。ある実施形態においては、熱シールドは準断熱（quasi adiabatic）と特徴付けられている。１つの実施形態においては、熱シールドの側壁は約０．２５ｍｍから１０ｍｍ厚であり、例えば約０．５ｍｍ厚にすることができる。選択的に、少なくとも１つの第１のカバーを熱シールド上に配置することができる。選択的に、熱シールドの周囲に所定のブロックが位置決めされ、そして選択的に、第２のカバーがブロック上に配置される。いくつかの実施形態においては、セルと熱シールドの間に隙間がある。１つの例では、基準が試料であり、そして選択的に、基準はデータとすることが可能である。
【００１０】
本願の教示には、以下のものを備えている示差走査熱量計もまた含まれている：  試料セル；基準セル；試料セルに隣接して位置決めされた第１の熱シールド；基準セルに隣接して位置決めされた第２の熱シールド；試料セル、基準セル、第１の熱シールド、及び第２の熱シールドを加熱する能力のある加熱システム；試料セルと基準セル間の温度差を監視する温度監視装置。第１の加熱装置は試料セルと連結し、第２の加熱装置は基準セルと連結し、第３の加熱装置は第１の熱シールドと連結し、及び／又は第４の加熱装置は第２の熱シールドと連結することができる。従って、１またはそれ以上の加熱装置が１またはそれ以上の試料セル、基準セル、第１の熱シールド、及び第２の熱シールドと連結することができる。いくつかの実施形態においては、示差走査熱量計は更に、第１、第２、第３、及び／又は第４の加熱装置の温度を変化させることが可能な制御システムを備えている。このような示差走査熱量計は更にコンピュータ及び／又は出力装置を備えることができる。ある実施形態においては、第１の熱シールドは試料セルの周囲に位置決めされたシリンダーであり、第２の熱シールドは基準セルの周囲に位置決めされたシリンダーである。
【００１１】
現在の指導には、以下を具備している試料セルと基準との間の温度差を監視する方法もまた含まれている：  試料セル及び基準を備えている示差走査熱量計を供給するステップ；セルに隣接して位置決めされた少なくとも１つの熱シールド；セル及び熱シールドを加熱する能力のある加熱システム；セルと試料物質との間の温度差を監視する温度監視装置；示差走査熱量計からの獲得信号；信号により生成される変数を用いた、試料セルと基準との間の温度差計算。いくつかの実施形態においては、その方法は更に、例えば、セルの周囲に位置決めされたシリンダーとすることが可能な熱シールドを使用するステップ、を具備している。
【００１２】
ここで使用されている「断熱の」という単語は、工程中において、システムが周囲の環境と熱交換しない工程のことを言う。
【発明を実施するための最良の形態】
【００１３】
改良された示差走査熱量計（ＤＳＣ）の実施形態の概略図を図１に示す。例えばＰｅｒｋｉｎＥｌｍｅｒ社 Ｄｉａｍｏｎｄ  ＤＳＣのような熱量計１００を、本願の教示に組み込むことが可能である。しかしながら、ＰｅｒｋｉｎＥｌｍｅｒ社入力補償型Ｐｙｒｉｓ１ＤＳＣ、ＰｅｒｋｉｎＥｌｍｅｒ社ＤＳＣ７、などのような他のモデルも、使用されている可能性がある。図示したＤＳＣは、熱シールドにもなりうる外枠５によって規定された内室４内に設置された、金属製ベース２を有している。金属製ベース２は冷却ブロック（図１には示さず）に接続することが可能である。ベース２上の支柱６は、体積および質量が類似した基準セル８および試料セル１０を支持し、加熱要素とともに取り付けられている。基準セル８と試料セル１０各々は、ケース（図１には示さず）内に試料を保持するが、当業者であれば、基準セル８を空にしたままにすることができる、及び／又は基準が、既知の特性を持ったデータ又は試料になりうることを理解されるであろう。リード線１６はセル８及び１０を各々のセル内の加熱要素１２及び１４に電力供給をする電源１８に接続している。コンピュータ２０は使用者が諸元を提供／入力できるインターフェース２３、及び記憶するためのメモリ２５、例えばハード・ドライブ又はランダム・アクセス・メモリを備えている。図示した加熱要素１２及び１４は電源１８によって動かされ、これによってセル８及び１０はコンピュータ２０によって制御された様々な、又は等しい速度で加熱される。
【００１４】
セルの温度が変化する速度は、走査速度として見なされ、使用者がコンピュータ・インターフェース２３と通じて指定することができる。いくつかの実施形態においては、走査速度は毎分０．０１℃から５００℃の間であるが、他の速度も指定可能である。図示したように、熱運動計測装置２２は、２つのセル８，１０の間の温度差を測定するセンサー２７に接続されている。センサー２７は２またはそれ以上の、独立して分析が可能なセンサーに分割することができる。いくつかの実施形態においては、個別のシールド２４の温度制御は、温度計として白金線、及びヒーターとして抵抗線のようなワイヤを使用する、２つの独立した制御ループを持つ熱運動計測装置２２によって実現されている。１つの制御器は２つのシールドの平均温度を計測し、第２の制御器は両方のシールド間の温度差を測定する（入力補償型ＤＳＣの測定部として）。図示した実施形態においては、２つのシールド２４の平均温度は計測システム（炉）の温度の特定の機能に従っており、差分モードに従って運用される。
【００１５】
典型的なセンサーは、ワイヤ温度計、熱電対、又は半導体の熱電対のような温度測定機器を含む。走査中、セルが加熱されている時、温度差は連続的に計測される。その後、温度差のデータは熱運動計測装置２２からコンピュータ２０へ送信され、そこで計測時間と共にコンピュータ・メモリ２５内に記憶される。出力７５は、グラフ、英数字の記号、及びそれに類するデータを示す可視データとして、使用者に提供する。
【００１６】
セル８及び１０は、セルの周囲に設置されるシリンダーとして示される熱シールド２４に囲まれている。断熱運転中、熱シールド２４はセルとその周囲の間の熱交換を減少させる役割を果たす。熱シールド２４の温度は、熱運動計測装置２２及び熱シールド２４上に設置されたセンサー２７によって監視される。熱シールド２４は、少なくとも１つの制御器２８によって操作される、加熱及び冷却装置２６に接続される。制御器２８への信号は、コンピュータ２０との間を往復する。セル計測装置２２からの出力はコンピュータ２０に送られ、電源３４、続いて制御器２８に送信される信号を決定するために使用される。温度情報はセル間の温度差及び測定時間と共に、繰り返してコンピュータ・メモリ３５に記憶される。図示した実施形態では、セル及びシールドが機能できる温度の範囲における熱量計の運用範囲は、−１７０℃〜７３０℃である。ＤＳＣは熱シールド２４及びセル８及び１０の温度を±０．１℃の温度精度で測定可能であり、その温度を±０．１℃の精度で調節可能である。図１に図示していないが、当業者ならば、ＤＳＣがＳｔｅｐＳｃａｎＤＳＣ法や、冷却装置の気体の自動切り替え、既知の試料皿の豊富な種類といった、幅広い範囲のＤＳＣのアクセサリーやオプションによって、改良可能であることを理解しているだろう。
【００１７】
図示した熱シールド２４は、基準セル８及び試料セル１０の周囲に設置されている。各々の熱シールド２４に与えられる入力は、コンピュータ２０の出力によって独立して制御される。熱シールド２４は熱を発生する能力があり、セル８及び１０間の温度差を積極的に減少させるために使用される。
【００１８】
加熱装置はセル８若しくは１０及び熱シールド２４を加熱することができ、制御器によって定められる同一又は異なる加熱要素を備えることができる。１，２，３，４又はそれ以上の加熱要素が使用される場所では、加熱要素は使用者によって共通に制御される、又は独立して制御される場合がある。
【００１９】
コンピュータ・インターフェース２３を通して、使用者は様々な運用モードを選択することができる。熱シールド２４が使用されないモード、又はセル８及び１０間の温度差を積極的に最小化するためにコンピュータ２０によって熱シールド２４を使用する、様々な使用レベルのモードである。
【００２０】
準断熱の熱シールド２４を備えている熱量計の運用のモードは以下である：
モードＡ：  両方の熱シールド２４（試料シールド及び基準シールド）は炉のプログラムされた温度に厳密に追従する（気体を通じた熱交換を考慮した断熱状態）。
モードＢ：  モードＡのように、両方の熱シールド２４（試料シールド及び基準シールド）は炉のプログラムされた温度（気体を通じた熱交換に関する断熱状態）に厳密に追従するモードではあるが、特定の、制御された熱シールド間の温度差が、測定システム内の熱流量差を少なくするために取り入れられる。
モードＣ：  各々の独立した熱シールド２４（試料シールド及び基準シールド）が個別に制御されている。ベースラインの湾曲を少なくするため、各々のシールドの温度は全ての温度に対して、熱流量差が、例えば、最小のベースライン熱流量まで減少するように調整される。さらに、各々の炉とシールド間の熱流量差は準断熱状態と言える値まで減少する。シールド温度のための温度機能は空運転（empty run）によって得られ、配列として、又はコンピュータ・メモリ内の平滑関数として記憶される。温度機能は走査の間、ベースライン熱流量を可能な限り最小にするよう、シールドの温度を設定するために、再呼び出しすることができる。
モードＤ：  両方の熱シールド２４（試料シールド及び基準シールド）は「一定の温度」モードで運用することができる。このモードではＤＳＣを標準的な入力補償モード運用するようにする。
モードＥ：  周囲の環境への熱損失を減少させるため、最大冷却速度を低下させるための冷却を始める前に、シールドをヒートシンクの温度に設定することができる。
【００２１】
図２について言及すると、図２には個別温度制御シールドを備えたＤＳＣの部分組立品が示されている。準断熱の温度制御シールド２４が、試料セル１０のようなセルを取り囲んでいることを示している。シールド２４は、シールド２４を介して温度が変化するのを避けるために、１またはそれ以上のアルミニウム、銅、セラミック、又は銀のような高熱伝導材料で作られている。素早い冷却を可能にするのに必要な温度変化及び熱損失はシールドの接続部（脚部、図２には示さず）、及び計測システムのベース部（図２には示さず）にある温度制御ヒートシンクによって決まる。接続部（脚部）は高熱運用を可能にするために、金属又はセラミック材料によって構成される。シールド２４は薄い壁（０．２５ｍｍから１０ｍｍ厚、好ましくは約０．５ｍｍ）のシリンダーである。隙間５４はセル１０と熱シールド２４の間にある。図示した実施形態においては、隙間５４は０．２５ｍｍから１０ｍｍの間の幅であり、いくつかの実施形態においては、０．５ｍｍから約１．５ｍｍであり、またその他の実施例においては、断熱の工程を促進させるため、約１．０ｍｍとなっている。第１カバー６０は熱シールド２４の上面に配置されている。
【００２２】
図３ａについて言及すると、シリンダー形状の熱シールド２４は上端４４、下端４６、及び側壁４８を有している。第１カバー６０は熱シールド２４の上面に配置されて示されている。側壁４８は、ワイヤをシリンダーから電気的に絶縁することを非常に短時間で反応可能にする誘電性の層５０、例えばガラス又はアルミナ層で覆われている。側壁４８は外周を有しており、ネジ形状になっている。従って溝５２は外周に沿って延ばされている。図３ｂについて言及すると、ワイヤ４０が、熱シールドの外周に延ばされた溝５２内に配置されて示されている。いくつかの実施形態においては、ワイヤ４０はヒーターとして熱抵抗ワイヤ部５４及び抵抗ワイヤ部５６を備えている、側壁４８上に配置された温度計又は熱電対になりうる。いくつかの実施形態においては、ワイヤ４０は温度センサーとしての働きをすることも可能である。熱抵抗ワイヤ５４及び抵抗ワイヤ５６の両方は、温度制御において短時間での反応を実現するために、側壁４８の広いエリアを覆うように、シリンダーの外側の周囲に巻かれている。ヒーターとセンサーワイヤとの間の接触を避けるために、各々は分離した平行の溝内に収められており、高温セラミック接着剤によってその位置に固定されている。熱抵抗ワイヤ５４はプラチナで作ることも可能である。図３に示してはいないが、図示した実施形態においては、プラチナのワイヤはプラチナのリボン・コネクタに金ろうで接続されており、高熱運用を可能にしている。
【００２３】
図４ａについて言及すると、ＤＳＣ計測システムは基準セル８及び試料セル１０を備えている部分組立品を有している。部分組立品と電気回路網は金属製のベース２内に収められている。様々なリード線５８が、ベース２の底部に挿入されており、部分組立品内に位置決めされているセンサー及びヒーターとコンピュータ間を往復する信号を発信するために使われている。基準セル８及び試料セル１０は装置の中央に、互いに隣接して示されている。熱シールド２４は基準セル８及び試料セル１０を取り囲んでおり、金属製のベース２から上方に延ばされ露出している。図４ｂについて言及すると、ＤＳＣ計測システムは、図４ａに示したものと同様の概観だが、アルミニウム・ブロック６０が金属製のベース１２の上側に設置されている。金属製のブロック６０はアルミニウム製で、金属製のベース２上に設置されたブロックの中央部に位置する２つの開口６２を備えている。そして、熱シールド２４を有する基準セル８及び試料セル１０の周囲をぴったりと取り囲んでいる。図４ｃは第２のカバー６４がブロック６０を覆うように設置されており、開口６２をカバーしている。
【００２４】
図５は、基準セル及び試料セルを取り囲む熱制御シールドを用いて、昇温速度１０Ｋ／ｍｉｎで３５０Ｋから４５０Ｋまで加熱している、空の測定システムの熱流量のグラフを示している。運用された準断熱の温度制御シールドの効果が、ベースラインの直線性として描写されていることを、図５に見ることができる。シールドの温度制御が、ベースラインの直線性を向上させている。この場合では、シールドの温度は計測システムの温度を確実に追従している。当業者ならば、ベースラインの直線性及びノイズ・レベルをさらに向上させるために、更に高度な制御アルゴリズムを追加できることを理解しているだろう。
【００２５】
種々の改変が、本願の教示の基本精神から逸脱することなく成し得ることは明らかであろう。したがって、当業者であれば、本明細書に特段記載されていなくても、本発明が、添付の特許請求の範囲の技術的範囲内で実施され得ることが理解されるであろう。
【図面の簡単な説明】
【００２６】
【図１】少なくとも１つの熱シールドを備えた、示差走査熱量計（ＤＳＣ）の概略図である。
【図２】図１に示したような熱制御シールドを有した、ＤＳＣの部分組立品の前面等角図である。
【図３ａ】図２に示したような熱制御シールドの側面等角図である。
【図３ｂ】図２に示したような熱制御シールドの側面等角図である。
【図４ａ】２つの図２に示したような部分組立品を有するＤＳＣ計測システムの前面等角図である。
【図４ｂ】金属製のブロックを有する、図４の測定システムである。
【図４ｃ】ブロック上に配置された、追加されたカバーを有する、図４ｂの測定システムである。
【図５】図４ｃの空の測定システムの熱流量のグラフであって、昇温速度１０Ｋ／ｍｉｎで３５０Ｋから４５０Ｋまで加熱している。
【符号の説明】
【００２７】
４      内室
５      外枠
６      支柱
８      基準セル
１０    試料セル
１２，１４  加熱要素
１６    リード線
１８    電源
２０    コンピュータ
２２    熱運動計測装置
２３    インターフェース
２４    熱シールド
２５    メモリ
２６    加熱及び冷却装置
２７    センサー
２８    制御器
３４    電源
３５    コンピュータ・メモリ
４０    ワイヤ
４４    上端
４６    下端
４８    側壁
５０    誘電性の層
５２    溝
５４    隙間
５６    抵抗ワイヤ
５８    リード線
６０    第１カバー
６２    開口
６４    第２カバー
７５    出力装置
１００  熱量計
【図１】
2008530560.tif 000003
【図２】
2008530560.tif 000004
【図３（ａ）】
2008530560.tif 000005
【図３（ｂ）】
2008530560.tif 000006
【図４（ａ）】
2008530560.tif 000007
【図４（ｂ）】
2008530560.tif 000008
【図４（ｃ）】
2008530560.tif 000009
【図５】
2008530560.tif 000010
【国際調査報告】
2008530560.tif 000011
2008530560.tif 000012
2008530560.tif 000013